(57)【要約】【課題】別部材を用いることなくボデーにカバーを固定することができ、カバーの着脱作業性に優れた分電盤を提供する。【解決手段】ボデー１の前面にカバー２を備えた樹脂製の分電盤に関する発明である。カバー２の下辺にボデー１と弾性的に係合する押圧片を一体成形する。この押圧片を押し上げてカバー２を開くときにカバー２が外れることを避けるため、カバー２の内面からボデー方向にカバー側突起部５を突設し、またボデー１の対応位置にはカバー側突起部５の上面に当接するボデー側突起部６を突出させる。なお、カバー側突起部５の先端面とボデー側突起部６の先端面とを傾斜面とし、ガイド面とすることが好ましい。【選択図】    図２
2006174632.tif 000002
【特許請求の範囲】
【請求項１】
ボデー前面にカバーを備えた樹脂製の分電盤において、カバーの下辺にボデーと弾性的に係合する押圧片を一体成形するとともに、カバーの内面からボデー方向にカバー側突起部を突設し、またボデーの対応位置にはカバー側突起部の上面に当接するボデー側突起部を突出させたことを特徴とする分電盤。
【請求項２】
カバー側突起部の先端面の上部がボデー側に突出した傾斜面、もしくはボデー側突起部の先端面の下部がカバー側に突出した傾斜面の少なくとも何れか一方を備えたことを特徴とする請求項１記載の分電盤。
【発明の詳細な説明】
【技術分野】
【０００１】
本発明は、ボデー前面にカバーを備えた樹脂製の分電盤に関するものである。
【背景技術】
【０００２】
ボデー前面にカバーを備えた樹脂製の分電盤は、特許文献１、２に示すように従来から知られている。従来の分電盤は、ボデー側にカバーを着脱自在に固定するためのプッシュボタン等の押圧部を別部材として嵌め込み、この別部材を用いてカバーの下端を固定し、またこの別部材を押すことによりボデーとの係合を解除してカバーを開けるようにしていた。
【０００３】
しかし、このような別部材を用いると、部品点数が増加してコストアップとなるうえ、ボデーに別部材を嵌め込むための形状を作らねばならず、配線時の作業スペースが減少するという問題があった。また、ボデー側に設けられた押圧部を押し、カバーとボデーとの係合を解除した後、カバーに持ち替えてカバーを取り外す必要があり、カバーの着脱作業性がよくないという問題もあった。
【０００４】
また、分電盤は高い位置に設置されることが多いため、押圧部は分電盤の下面側に設けられることが多い。一般にカバーの上辺はボデーの上側に係合させてあるため、カバー下面に押圧部を設け、押圧部を上向きに押圧するとカバー上側の係合部が外れ、カバーが落下するおそれがあった。
【特許文献１】特開平１０−２４８１２１号公報
【特許文献２】特開平１０−２５７６１５号公報
【発明の開示】
【発明が解決しようとする課題】
【０００５】
本発明は上記した従来の問題点を解決して、別部材を用いることなくボデーにカバーを固定することができ、低コストであり、カバーの着脱作業性に優れ、カバーを開く際にもカバーを落下させるおそれのない分電盤を提供するためになされたものである。
【課題を解決するための手段】
【０００６】
上記の課題を解決するためになされた本発明の分電盤は、ボデー前面にカバーを備えた樹脂製の分電盤において、カバーの下辺にボデーと弾性的に係合する押圧片を一体成形するとともに、カバーの内面からボデー方向にカバー側突起部を突設し、またボデーの対応位置にはカバー側突起部の上面に当接するボデー側突起部を突出させたことを特徴とするものである。なお請求項２のように、カバー側突起部の先端面の上部がボデー側に突出した傾斜面、もしくはボデー側突起部の先端面の下部がカバー側に突出した傾斜面の少なくとも何れか一方を備えた構造とすることが好ましい。
【発明の効果】
【０００７】
本発明の分電盤は、カバーの下辺にボデーと弾性的に係合する押圧片を一体成形したので、従来のような別部材を用いずにボデー前面にカバーを固定することができ、従来よりもコストダウンを図ることができ、さらに、配線時の作業スペースが減少することがない。また、カバーを持ったままカバーに設けられた押圧片を押してボデーとの係合を解消し、カバーを取り外すことができるので、カバーの着脱作業性が良好となる。また、カバーの内面からボデー方向にカバー側突起部を突設し、ボデーの対応位置にはカバー側突起部の上面に当接するボデー側突起部を突出させたので、カバーを開くために上向きの力を加えても、カバーがボデーから外れて落下するおそれがない。更に請求項２のように、カバー側突起部の先端面の上部がボデー側に突出した傾斜面、もしくはボデー側突起部の先端面の下部がカバー側に突出した傾斜面の少なくとも何れか一方を備えた構造としておけば、カバーの取り付け時にこれらの傾斜面が相互に接してガイド面として機能し、カバーの取り付け作業が行い易くなる。
【発明を実施するための最良の形態】
【０００８】
以下に本発明の好ましい実施形態を示す。
図１〜図６は本発明の第１の実施形態を示す図であり、１は分電盤のボデー、２はボデー１の前面を覆うカバーである。これらはともにポリスチレン等の合成樹脂製である。カバー２の上辺３はボデー１の方向に屈曲され、その先端部がボデー１の上辺の段部４に上側から被さるように係合している。
【０００９】
カバー２の上辺３よりやや下方の内面には、ボデー１の方向に延びるカバー側突起部５が突設されている。またボデー１の対応位置には、カバー１の方向にボデー側突起部６が突設されており、このボデー側突起部６の下面はカバー側突起部５の上面に当接されている。このため、ボデー側突起部６をカバー２の上辺３とカバー側突起部５とによって上下から挟むようにして、カバー２の上部がボデー１に取付けられる。なお、これらのカバー側突起部５及びボデー側突起部６は分電盤の左右両端部付近に設けられている。
【００１０】
図４に示すように、カバー２の下辺の左右両端部付近には、ボデー１の下部と弾性的に係合することによりカバー２の下部を固定する押圧片７が一体成形されている。この押圧片７の先端には逆Ｕ字状の係合爪が設けられ、図５に示すようにボデー１と係合する。なお図６に示すように、この押圧片７の外面をボデー１の外面と同一平面としておけば、美観に優れた分電盤となる。また押圧片７の幅を変えたり、図６に示すようにリブ８を設けることによって、弾力を調整することができる。さらにリブ８の側面にテーパー９を付けたり、段差１０を付けることにより、ボデー１との隙間が無くなるので美観を一層高めることができる。
【００１１】
このように本発明の分電盤は、カバー２の下辺にボデー１と弾性的に係合する押圧片７を一体成形したので、従来のような別部材を用いる必要がなく、コストダウンを図ることができ、さらに、配線時の作業スペースが減少することがない。また、カバー２を持ったままカバー２に設けられた押圧片７を押してボデー１との係合を解消し、カバー２を取り外すことができるので、カバー２の着脱作業性が良好となる。また、カバー２の上部にカバー側突起部５を設け、ボデー側突起部６の下面がカバー側突起部５の上面に当接する構造としたので、押圧片７を押し上げる際にカバー２に上向きの力が加わっても、カバー２が外れることがなく、カバー２の落下を防止することができる。
【００１２】
図７と図８に示す他の実施形態においては、ボデー１の側壁にリブ状のボデー側突起部６を設け、さらにボデー側突起部６をボデー開口部の方向へボデー開口部を越えて突設させ、カバー側突起部５の上面に当接させた構造を採用している。このようにボデー１とカバー２との両方に突起部を形成した構造とすれば、カバー２の開閉時に突起部のみに力が加わり、ボデー１及びカバー２に直接力が加わらないので、構造的に強くなる利点がある。また両方から突起部を出すことにより、カバー２の取り付け性が向上する。更に、ボデー側突起部６がボデー開口部を越えて突設しているので、カバー着脱時に、ボデー側突起部６の側面とカバー２の内面が当たり、カバー２が左右方向にずれることも防止することができる。なお、カバー側突起部５をカバー開口部を越えて突設させておいても、同様にカバー２が左右方向にずれることを防止することができる。
【００１３】
図９と図１０に示す他の実施形態においては、カバー側突起部５の先端面を上部がボデー側に突出した傾斜面２２、ボデー側突起部６の先端面を下部がカバー側に突出する傾斜面１１とした。またこれらのカバー側突起部５とボデー側突起部６とはともに、カバー２及びボデー１の側面上部に形成されている。このような構造とすれば、カバー２をボデー１の上方から落とし込むことにより、双方の傾斜面１１どうしがガイド面として機能し、カバー２の上辺３の先端部をボデー１の上辺の段部４に確実に係合させることができる。しかもこのときボデー１に対するカバー２の角度も調節されるので、カバー２の取り付け性が向上する。なお、傾斜面を設けるのはカバー側突起部５もしくはボデー側突起部６のどちらか一方でもよい。
【００１４】
なお、図１１と図１２に示す他の実施形態においては、カバー２の上辺３の内面にカバー側係合部１６と、ボデー１の上辺の対応位置にボデー側係合部１７が設けられており、ボデー側係合部１７の周辺の側面１８を隆起した構造となっている。カバー側係合部１６がボデー側係合部１７と係合し、カバー側係合部１６の側面とボデー側係合部１７の周辺の側面１８の内面が当たるのでカバー２の取り付け時の横方向へのずれがなくなり、カバー２の取り付け性が向上する。
【００１５】
また、図１３に示すように、ボデー側係合部１７の係合面１９を凹円弧状、カバー側係合部１６の係合面２０を凸円弧状にすることにより、カバー２のボデー１への取り付けの角度が大きい場合でも、ボデー側係合部１７の端部２２にカバー側係合部１６の端部２１を引っ掛けることができ、取り付け性が向上する。なお、図１３（ａ）はカバー取り付けの始めの状態であり、（ｂ）は取り付け途中、（ｃ）は取り付け完了の状態である。両係合面１９、２０が円弧状であるのでガイド面として機能し、取り付け性が向上する。また、カバー側係合部１６の係合面２０が凸円弧状であるので、カバー側係合部１６の端部２１がボデー側係合部１７の係合面１９を滑らかに動き、カバーの着脱が滑らかに行える。なお、ボデー側係合部１７の係合面１９は斜面でもよい。
【００１６】
なお、分電盤の内部には図１４に示されるような機器取付板１２が固定され、各種の機器をネジ止めできるようになっている。この実施形態で用いた機器取付板１２は、難燃性樹脂板の表面に多数の丸型の止まり孔１４を千鳥状に配置したものである。このような構造の機器取付板１２は、表面に多数の丸型の止まり孔１４が配置されているので、ねじをどの位置に入れても均等に樹脂に食い込み、ねじが細くなってもトルクをかけることができる。
【００１７】
以上に説明したように、本発明の分電盤は別部材を用いることなくボデーにカバーを固定することができ、カバーを開く際にカバーを落下させるおそれのないものである。
【図面の簡単な説明】
【００１８】
【図１】本発明の実施形態における分電盤の上部構造を示す斜視図である。
【図２】角度を変えた同様の斜視図である。
【図３】同様の垂直断面図である。
【図４】本発明の実施形態におけるカバーの下部構造を示す斜視図である。
【図５】ボデーとの係合状態を示す断面図である。
【図６】他の実施形態におけるカバーの下部構造を示す底面図及び断面図である。
【図７】他の実施形態における分電盤の上部構造を示す垂直断面図である。
【図８】同様の斜視図である。
【図９】他の実施形態における分電盤の上部構造を示す斜視図である。
【図１０】角度を変えた同様の斜視図である。
【図１１】他の実施形態におけるボデーの上部構造を示す斜視図である。
【図１２】他の実施形態におけるカバーの上部構造を示す斜視図である。
【図１３】他の実施形態におけるカバー取り付け過程の断面図である。
【図１４】機器取付板のＡ：平面図、Ｂ：拡大断面図である。
【符号の説明】
【００１９】
１  ボデー
２  カバー
３  上辺
４  段部
５  カバー側突起部
６  ボデー側突起部
７  押圧片
８  リブ
９  テーパー
１０  段差
１１  傾斜面
１２  機器取付板
１４  止まり孔
１５  中心線
１６  カバー側係合部
１７  ボデー側係合部
１８  側面
１９  係合面
２０  係合面
２１  端部
【図１】
2006174632.tif 000003
【図２】
2006174632.tif 000004
【図３】
2006174632.tif 000005
【図４】
2006174632.tif 000006
【図５】
2006174632.tif 000007
【図６】
2006174632.tif 000008
【図７】
2006174632.tif 000009
【図８】
2006174632.tif 000010
【図９】
2006174632.tif 000011
【図１０】
2006174632.tif 000012
【図１１】
2006174632.tif 000013
【図１２】
2006174632.tif 000014
【図１３】
2006174632.tif 000015
【図１４】
2006174632.tif 000016